(57)【特許請求の範囲】
【請求項１】
車両の座席エリアの飲料の温度を調整するための装置であって、
熱伝導性材料を含むベースと、前記ベース近傍の断熱材料と、を有し、第一のサイズの飲料容器を保持するように構成された第一の延長インサートと、
熱伝導性材料を含むベースと、前記ベース近傍の断熱材料と、を有し、第二のサイズの飲料容器を保持するように構成された第二の延長インサートと、
ベースを有するパーソナル飲料加温器及び冷却器であって、前記ベースは、凹部と、前記凹部を取り囲む熱伝導性材料と、を有し、前記凹部は、前記第一及び第二の延長インサートそれぞれの前記断熱材料が少なくとも部分的に前記凹部の外側に延在するように、前記第一の延長インサートの前記ベース及び前記第二の延長インサートの前記ベースを受けるように構成される、パーソナル飲料加温器及び冷却器と、
前記パーソナル飲料加温器及び冷却器の前記ベースと熱的に連結され、前記パーソナル飲料加温器及び冷却器の前記ベースと熱交換するように通電されるように構成された熱電素子と、
前記熱電素子を通電する電源であって、前記電源に前記パーソナル飲料加温器及び冷却器の前記ベースを冷却させる第１の状態及び前記電源に前記ベースを加熱させる第２の状態において前記熱電素子を通電する、電源と、
前記熱電素子と熱的に結合された熱交換器と、
前記熱交換器を介して前記熱電素子と熱交換を行う流体媒体と、を備える、装置。
【請求項２】
前記流体媒体は空気であり、
前記装置は、前記熱交換器と熱的接触する前記空気を吹き込むファンをさらに含む、請求項１に記載の装置。
【請求項３】
前記熱電素子はペルチェ素子である、請求項１に記載の装置。
【請求項４】
前記パーソナル飲料加温器及び冷却器の前記ベースは、前記第一の延長インサート又は前記第二の延長インサートのキーと結合することで前記延長インサートを前記パーソナル飲料加温器及び冷却器の前記ベース上に固定するロックをさらに含む、請求項１に記載の装置。
【請求項５】
冷却については前記第１の状態に、加熱については前記第２の状態に、対応する前記電源の極性を変化させるスイッチをさらに備える、請求項１に記載の装置。
【請求項６】
前記パーソナル飲料加温器及び冷却器は、複数のベースを含み、
前記装置は、前記複数のベースに関連付けられた複数の熱電素子および熱交換器を含む、請求項１に記載の装置。
【発明の詳細な説明】
【技術分野】
【０００１】
関連出願の相互参照
[0001]本願は、２０１０年５月２５日に出願され「航空機乗客座席用飲料加温器および冷却器」と題された米国仮特許出願第６１／３４７，９２７号の優先権の恩恵を主張するものであり、当該出願の全内容は、参照により本明細書に組み込まれる。
【０００２】
[0002]開示された実施形態は、一般に、飲料温度制御用装置に関し、より詳細には、車両座席用飲料温度制御または調整装置に関する。
【背景技術】
【０００３】
[0003]自動車、列車、トラック、ボート、または航空機を含む本明細書中で定義される車両は、典型的には、グラス、カップ、瓶、缶、および／またはマグなどの飲料容器を保持するためのカップホルダを提供する。カップホルダは、一般に、乗員および乗客の座席の近傍に設けられる。例えば、カップホルダは、個人の座席に隣接するアームレストまたはコンソールに設けられてもよいが、ダッシュボードまたは車両の他の表面から延在してもよい。カップホルダは、一般に、車両が加速、減速、または前方、後方、およびいずれかの側に傾斜している間、車両に対して静止した直立位置に飲料容器を保持する凹部を含む。
【発明の概要】
【課題を解決するための手段】
【０００４】
[0004]車両座席用の例の飲料温度制御または調整装置が開示されている。車両の座席付近の飲料の温度を調整する開示された例のパーソナル飲料加温器および冷却器装置は、ベース上に着座した容器へ、またはかかる容器からの少なくとも一方である方向に熱を伝導する熱伝導性材料を含むベースと、ベースと熱的に連結され、ベースと熱交換するように通電される熱電素子と、熱電素子および液状媒体と熱的に連結され熱電素子と液状媒体との間で熱交換を行う熱交換器とを含む。
【０００５】
[0005]車両の開示された例の座席エリアは、ベース上に着座した容器へ、またはかかる容器からの少なくとも一方に熱を伝導する熱伝導性材料を含むベースと、ベースと熱的に連結され、ベースと熱交換するように通電される熱電素子と、熱電素子および液状媒体と熱的に連結され熱電素子と液状媒体との間で熱交換を行う熱交換器とを有する温度調整装置を含む。
【０００６】
[0006]座席エリアは、追加の温度調整装置を含んでもよい。
【０００７】
[0007]開示された例の方法は、第１のユーザ入力が受信されているとき、車両の座席における熱電素子を第１の状態に通電することで、熱電素子と熱的連結された飲料容器を冷却するステップと、第２のユーザ入力が受信されているとき、熱電素子を第２の状態に通電することで、飲料容器を加熱するステップとを含む。
【０００８】
[0008]また、方法は、熱電素子と熱交換器との間で第１の熱を交換するステップと、熱交換器と液状媒体との間で第２の熱を交換するステップとを含んでもよい。
【０００９】
[0009]熱電素子を第１の状態に通電するステップは、電流をペルチェ素子に印加するステップを含んでもよく、熱電素子を第２の状態に通電するステップは、反対の電流をペルチェ素子に印加するステップを含んでもよい。
【００１０】
[0010]第１のユーザ入力は、スイッチの第１の位置に対応してもよく、第２のユーザ入力は、スイッチの第２の位置に対応してもよい。
【００１１】
[0011]いずれの例についても、液状媒体は空気であってもよく、装置は、また、熱交換器と熱的接触する空気を吹き込むファンを含んでもよい。
【００１２】
[0012]いずれの例についても、熱電素子は、ベースを加熱および／または冷却するように電源により通電されてもよい。
【００１３】
[0013]いずれの例についても、熱電素子を通電する電源の極性を変更するスイッチを用いてもよく、スイッチの第１の状態は、電源にベースを冷却させてもよく、スイッチの第２の状態は、電源にベースを加熱させてもよい。
【００１４】
[0014]いずれの例についても、ベースは、延長インサートのキーと結合することで延長インサートをベース上に固定するロックを含んでもよく、延長インサートは、飲料を保持する容器を受けるように寸法決めされていてもよい。
【００１５】
[0015]いずれの例についても、ベースは、飲料を保持する容器を受けるように寸法決めされた凹部を含んでもよい。
【００１６】
[0016]いずれの例も、電源とプロセッサとを含んでもよく、プロセッサは、飲料の温度を維持するように電源を制御してもよい。
【図面の簡単な説明】
【００１７】
【図１Ａ】複数の飲料ホルダを含む車両の例示的な乗客座席環境を示す。
【図１Ｂ】図１Ａの複数の飲料ホルダをより詳細に示す。
【図２Ａ】飲料を冷却するように構成された熱電素子を含む例示的なパーソナル飲料加温器および冷却器を概略的に示す。
【図２Ｂ】飲料を加温するように構成された熱電素子を含む例示的なパーソナル飲料加温器および冷却器を概略的に示す。
【図３Ａ】例示的なパーソナル飲料加温器および冷却器の側面図を示す。
【図３Ｂ】例示的なパーソナル飲料加温器および冷却器の反対の側面図を示す。
【図４Ａ】内部に着座した飲料容器を含む図３Ａおよび図３Ｂの例示的なパーソナル飲料加温器および冷却器の断面図を示す。
【図４Ｂ】延長インサートを含み、図４Ａの飲料加温器および冷却器において堅固に着座するように構成された例示的な飲料容器を示す。
【図４Ｃ】延長インサートを含み、図４Ａの飲料加温器および冷却器において堅固に着座するように構成された例示的な飲料容器を示す。
【図５Ａ】図４Ｂの延長インサートが着座した図３Ａの例示的なパーソナル飲料加温器および冷却器を示す。
【図５Ｂ】図４Ｃの延長インサートが着座した図３Ａの例示的なパーソナル飲料加温器および冷却器を示す。
【図６】別の例示的なパーソナル飲料加温器および冷却器の側面図を示す。
【図７Ａ】さらに別の例示的なパーソナル飲料加温器および冷却器の側面図を概略的に示す。
【図７Ｂ】図７Ａの例示的なパーソナル飲料加温器および冷却器の切断側面図を概略的に示す。
【図８Ａ】互いに隣接する複数の図７Ａの例示的なパーソナル飲料加温器および冷却器を概略的に示す。
【図８Ｂ】互いに隣接する複数の図８Ａの例示的なパーソナル飲料加温器および冷却器の反対の側面図を示す。
【図８Ｃ】互いに隣接する複数の図８Ａの例示的なパーソナル飲料加温器および冷却器の反対の側面図を示す。
【図９Ａ】図８Ａの例示的なパーソナル飲料加温器および冷却器の図を示す。
【図９Ｂ】図８Ａの例示的なパーソナル飲料加温器および冷却器の図を示す。
【図９Ｃ】図８Ａの例示的なパーソナル飲料加温器および冷却器の図を示す。
【図９Ｄ】図８Ａの例示的なパーソナル飲料加温器および冷却器の図を示す。
【図９Ｅ】図８Ａの例示的なパーソナル飲料加温器および冷却器の図を示す。
【図９Ｆ】図８Ａの例示的なパーソナル飲料加温器および冷却器の図を示す。
【発明を実施するための形態】
【００１８】
[0031]カップホルダに保持された飲料容器内の飲料は、一般に、所望される温度に留まらない。飲料の温度は、一般に、時間とともに車両の周囲空気温度に向かう。例えば、人が飲料を自らが所望するまたは好む温度において十分に楽しむことを可能にする十分に長い期間の間、コーヒーまたは茶などの熱い飲料は、熱い状態に保たれず、フルーツジュースまたはソーダなどの冷たい飲料は、冷たい状態に保たれない場合がある。従って、人は、飲料が望ましくない温度になる前に飲料を飲む時間が限られている場合がある。断熱飲料容器によりこの問題を緩和し得るが、断熱飲料容器は、一般に、飲料の消費に先立って飲料を元の容器から断熱飲料容器に移す必要があるため、簡便でない。加えて、断熱飲料容器内の飲料の温度はやはり周囲温度に向かい、人はやはり飲料が望ましくない温度になる前に飲料を飲む時間が限られている場合がある。ただし、その限られた時間は、飲料が断熱飲料容器に入っていなかった場合よりも長い。
【００１９】
[0032]上記問題の少なくともいくつかを扱うパーソナル飲料加温器および冷却器の実施形態を本発明書中で開示する。開示のパーソナル飲料加温器および冷却器は、飲料を保持し、かつ飲料が消費されるまで飲料容器内の飲料を所望される温度に保持するために、車両に含まれてもよい。本明細書中に開示のパーソナル飲料加温器および冷却器は、例えば、人の座席、寝台室、および／または旅行中に人が存在し得る車両内の他のいずれかの場所、例えば、人が互いと一緒に食料および飲料を楽しむために集い得るラウンジエリアの近傍に配置してもよい。加えてまたは代替として、開示のパーソナル飲料加温器および冷却器は、車両の乗員により用いられるための操縦室および／または調理室に配置されてもよい。パーソナル飲料加温器および冷却器は、各人がコーヒー、茶、およびココアなどの温かい飲料を自らが所望する温かい温度に保つことを可能にするように構成されてもよい。同様に、パーソナル飲料加温器および冷却器は、各人がソーダ、水、およびワインなどの冷たい飲料を自らが所望する冷たい温度に保つことを可能にするように設定されてもよい。このように、各人は、自らの飲料を自らのペースで自らが所望する温度で消費してもよい。
【００２０】
[0033]本明細書中に開示の例のパーソナル飲料加温器および冷却器は、様々な実施形態において食料ならびに／または周囲空気温度以外の温度から恩恵を得るかもしくはかかる温度において格納される必要がある他の個人的物品の温蔵および冷蔵に用いられてもよい、パーソナル加熱および冷却装置の実施形態であってもよい。例えば、いくつかの薬品は、人が簡便にアクセス可能でありながら、周囲空気温度よりも低い温度において格納される必要がある場合がある。
【００２１】
[0034]本明細書中に開示のパーソナル飲料加温器および冷却器の実施形態は、コンパクト設計および軽量構造を特長とし、かかる特長の両方により、全ての人に代わり客室乗務員により用いられるために調理室に集中的に設けられるのが典型的であった伝統的な冷蔵システムと異なり、各個人による使用のために航空機全体の随所にそれらのパーソナル飲料加温器および冷却器を配置することが容易になる。様々な実施形態において、開示のパーソナル飲料加温器および冷却器は、動作効率を増加させるため、航空機のヒートシンクシステムおよび／または他の航空機コンポーネントと一体化されてもよい。
【００２２】
[0035]図１Ａは、複数の飲料ホルダ１１０を含む車両の例示的な乗客座席環境１００を示す。乗客座席環境１００は、例えば、航空機の超ファーストクラスの座席であってもよい。図１の例の乗客座席環境１００は、人が着座し得るクッション付き座席１２０を含む。座席１２０の左には、人が乗客座席環境１００に対して出入りし得る戸口１３０がある。座席１２０の前には、人が本、雑誌、およびカタログなどの読み物、皿、金属食器、ナプキン、カップ、グラスなどの食料サービス物品、ラップトップコンピュータ、ならびに／または人が旅行中に容易なアクセスを有することを所望する他の物品を載置し得るトレイ１４０がある。トレイ１４０は、不使用時にトレイをしまい得るように折り畳み可能または格納可能であってもよい。トレイ１４０は、クッション付き座席１２０の右に、または乗客座席環境１００に対する戸口１３０の反対側に位置決めされたコンソール１５０と連結されてもよい。
【００２３】
[0036]図１Ｂは、図１Ａの例の複数の飲料ホルダ１１０をより詳細に示す。例の飲料ホルダ１１０は、各々、異なる飲料容器を保持し得る。このように、人は、簡便に、旅行中に複数の飲料に容易なアクセスを有し得る。例えば、人は、異なるブランドのジュース、水、およびソーダを準備しておき、好むときにいつでも消費できるようにしてもよい。図１Ａおよび図１Ｂに示す例において、飲料ホルダ１１０は、飲料ホルダゾーン１６０内で一列に編成されている。しかし、飲料ホルダ１１０は、他の編成で実装されてもよい。また、飲料ホルダゾーン１６０は、飲料が飲料ホルダ１１０に載置されているときに開いてもよく、飲料が飲料ホルダ１１０に載置されていないときに閉じてもよい飲料ホルダゾーン蓋１７０を含んでもよい。１つ以上の飲料ホルダ１１０が、本明細書中に開示のパーソナル飲料加温器および冷却器を含んでもよい。
【００２４】
[0037]図２Ａは、飲料を冷却するように構成された例の熱電素子２２０を含む例示的なパーソナル飲料加温器および冷却器２１０を概略的に示す。ユーザが冷えたまたは冷たい状態で消費することを欲する飲料を収容する飲料容器２２５が、例の冷却プレートまたはベース２３０上に着座してもよい。図２Ａの冷却プレート２３０は、飲料を収容する飲料容器２２５との熱的接触を通じて飲料を冷却する。冷却プレート２３０は、熱電素子２２０により冷却される。図２Ａの熱電素子２２０は、２つの異なる導体の両端に電圧が印加されるかまたは直流電流（ＤＣ）が流されることで電荷担体の移動方向に熱を伝達する電気回路を形成するペルチェ効果を用いるペルチェ素子を含んでもよい。このように、熱電素子２２０は、冷却プレート２３０から熱電素子２２０を通じたヒートシンクまたは熱交換器２４０への直接の熱伝達を提供する。図２Ａのヒートシンク２４０は、ファン２５０により駆動される空気循環により冷却される。従って、図２Ａの例の装置２２０は、空冷である。熱電素子２２０は、熱電素子２２０と電気的に連結され、熱電素子２２０に冷却プレート２３０からヒートシンク２４０に向かう方向に熱を伝達させる極性を有する例の直流電源２６０により作動する。いくつかの実施形態において、ＤＣ電源２６０は、航空機の２８ボルトの直流（ＶＤＣ）電源と連結されるか、または航空機の固定周波数もしくは可変周波数の交流（ＡＣ）パワーから変換される。
【００２５】
[0038]図２ＡのＤＣ電源２６０は、スイッチ、電子回路、または電子制御システム２６５により制御されてもよい。電子回路または電子制御システム２６５は、冷却プレート２３０の温度を監視し、従って熱電素子２２０を制御し、冷却プレート２３０の所望される予め設定されたまたはユーザが選択可能な温度を維持するために、温度センサ（不図示）を装備してもよい。また、電子制御システム２６５は、プロセッサと、パーソナル飲料加温器および冷却器２１０上に着座した飲料容器２２５の所望される温度を維持するためにパーソナル飲料加温器および冷却器２１０を制御する方法を行うためのプロセッサにより実行可能なソフトウェアプログラムを格納するメモリ（不図示）とを含んでもよい。加えてまたは代替として、電子制御システム２６５は、パーソナル飲料加温器および冷却器２１０上に着座した飲料容器２２５の所望される温度を維持するためにパーソナル飲料加温器および冷却器２１０を制御するように構成された１つ以上の回路、プログラマブルプロセッサ、ヒューズ、特定用途向け集積回路（ＡＳＩＣ）、プログラマブル論理装置（ＰＬＤ）、フィールドプログラマブル論理装置（ＦＰＬＤ）、および／またはフィールドプログラマブルゲートアレイ（ＦＰＧＡ）等を含んでもよい。
【００２６】
[0039]図２Ｂは、飲料を温めるように構成された熱電素子２２０を含む別の例示的なパーソナル飲料加温器および冷却器２７０を概略的に示す。ユーザが熱いまたは温かい状態で消費することを欲する飲料を収容する飲料容器２７５が、例の加熱プレートまたはベース２８０上に着座してもよい。図２Ｂのパーソナル飲料加温器および冷却器２７０は、パーソナル飲料加温器および冷却器２７０におけるＤＣ電源２６０の極性がパーソナル飲料加温器および冷却器２１０と比較して反転している点を除き、図２Ａのパーソナル飲料加温器および冷却器２１０と同様である。これにより、加熱プレートまたはベース２８０は、飲料を収容する飲料容器２７５との熱的接触を通じて飲料を加熱し得る。いくつかの実施形態において、加熱プレート２８０は、冷却プレート２３０と同一であってもよい。換言すれば、単一の熱的プレートまたはベースが、熱電素子２２０の動作条件、すなわち、ＤＣ電源２６０の選択された極性に依存して、冷却プレート２３０または加熱プレート２８０のいずれかとして機能してもよい。加熱プレート２８０は、熱電素子２２０により加熱されてもよい。熱電素子２２０は、コールド側または熱交換器２９０から熱電素子２２０を通じた加熱プレート２８０への直接の熱伝達を提供するため、ペルチェ効果を用いてもよい。いくつかの実施形態において、コールド側２９０は、ヒートシンク２４０のそれと実質的に同一の熱交換器を含む。換言すれば、単一の熱交換器が、熱電素子２２０の動作条件、すなわち、ＤＣ電源２６０の選択された極性に依存して、ヒートシンク２４０またはコールド側２９０のいずれかとして機能してもよい。図２Ｂのコールド側２９０は、ファン２５０により駆動される空気循環により温められる。熱電素子２２０は、熱電素子２２０にコールド側２９０から加熱プレート２８０に向かう方向に熱を伝達させる極性を用いて熱電素子２２０と電気的に連結されるＤＣ電源２６０により作動する。図２Ｂのパーソナル飲料加温器および冷却器２７０におけるＤＣ電源２６０の極性は、図２Ｂのパーソナル飲料加温器および冷却器２１０におけるＤＣ電源２６０の極性と反対である。
【００２７】
[0040]図２ＢのＤＣ電源２６０は、スイッチ、電子回路、または電子制御システム２６５により制御されてもよい。電子回路または電子制御システム２６５は、加熱プレート２８０の温度を監視し、従って熱電素子２２０を制御し、加熱プレート２８０の所望される予め設定されたおよび／またはユーザが選択可能な温度を維持するために、温度センサ（不図示）を装備してもよい。また、電子制御システム２６５は、プロセッサと、パーソナル飲料加温器および冷却器２７０上に着座した飲料容器２２５の所望される温度を維持するためにパーソナル飲料加温器および冷却器２７０を制御する方法を行うためのプロセッサにより実行可能なソフトウェアプログラムを含むメモリ（不図示）とを含んでもよい。加えてまたは代替として、電子制御システム２６５は、パーソナル飲料加温器および冷却器２７０上に着座した飲料容器２２５の所望される温度を維持するためにパーソナル飲料加温器および冷却器２７０を制御するように構成された１つ以上の回路、プログラマブルプロセッサ、ヒューズ、ＡＳＩＣ、ＰＬＤ、ＦＰＬＤ、および／またはＦＰＧＡ等を含んでもよい。
【００２８】
[0041]図３Ａおよび図３Ｂは、例示的なパーソナル飲料加温器および冷却器３００の反対の側面図を示す。図３Ａおよび図３Ｂの例のパーソナル飲料加温器および冷却器３００は、制御スイッチ３１２およびインジケータ３１４を含む制御パネル領域３１０を含む。制御スイッチ３１２は、トグルスイッチ、ロッカスイッチ、ボタン、ダイヤル、または人がパーソナル飲料加温器および冷却器３００のための動作パラメータを設定し得る他のいずれかのユーザ入力機構（例えば、「冷却」、「加温」、および「オフ」の状態を有する３路スイッチ）を含んでもよい。インジケータ３１４は、白熱灯、発光ダイオード（ＬＥＤ）、液晶表示（ＬＣＤ）装置、または他の形態の表示装置を含んでもよい。例えば、人は、制御スイッチ３１２を所望される加熱位置またはユーザが選択可能な温度に設定してもよく、インジケータ３１４は、パーソナル飲料加温器および冷却器３００が加熱モードに設定されていることを示し（例えば、赤く光る）てもよい。あるいは、人は、制御スイッチ３１２を所望される冷却位置またはユーザが選択可能な温度に設定してもよく、インジケータ３１４は、パーソナル飲料加温器および冷却器３００が冷却モードに設定されていることを示し（例えば、青く光る）てもよい。その他の場合、人は、制御スイッチ３１２をオフ位置に設定してもよく、インジケータ３１４は、パーソナル飲料加温器および冷却器３００がオフであることを示し（例えば、黄色く光るかまたは発光しない）てもよい。
【００２９】
[0042]図３Ａおよび図３Ｂのパーソナル飲料加温器および冷却器３００は、空気入口３２０を含み、かかる空気入口３２０を通じて、循環空気が進入するとともに、熱電素子２２０などの熱電素子と連結されたヒートシンク２４０または２９０（図２Ａおよび図２Ｂ）などの熱交換器上に空気循環ファン３３０により吹き付けられる。循環空気が熱交換器２４０または２９０を介して熱電素子２２０と熱を交換した後、循環空気は、空気出口３４０を介してパーソナル飲料加温器および冷却器３００から出る。パーソナル飲料加温器および冷却器３００が加熱モードで動作しているとき、空気出口３４０から出る循環空気は、冷たくてもよい。パーソナル飲料加温器および冷却器３００が冷却モードで動作しているとき、空気出口３４０から出る循環空気は、温かくてもよい。また、パーソナル飲料加温器および冷却器３００は、カップまたはマグ３５０などの飲料容器を保持する凹部を含んでもよく、また、パーソナル飲料加温器および冷却器３００は、カップまたはマグ３５０のハンドルのための切り欠き３６０を含んでもよい。
【００３０】
[0043]図４Ａは、内部に着座した例のマグ４１０を含む図３Ａおよび図３Ｂの例示的なパーソナル飲料加温器および冷却器３００の断面図を示す。図４Ａの断面図は、切り欠き３６０の最も下の点において垂直である。図４Ｂおよび図４Ｃは、延長インサート４５０および４６０を含み、図４Ａのパーソナル飲料加温器および冷却器３００において堅固に着座するように構成された例示的な飲料容器を示す。マグ４１０は、別の飲料容器からマグ４１０に注ぎ込まれた後に飲料を保持するために設計され用いられてもよい。延長インサート４５０は、ワインの瓶などの背が高い飲料容器を保持するために設計され用いられてもよく、延長インサート４６０は、ソーダ缶などのより背が低い飲料容器を保持するために設計され用いられてもよい。
【００３１】
[0044]図４Ａに示すように、例のロック機構４２０が、マグ４１０の下部において、パーソナル飲料加温器および冷却器３００の例の凹部またはベース４２５の中心エリアに位置決めされている。図４Ａのロック機構４２０は、ベース４２５の切り抜き領域を含み、かかる切り抜き領域に、飲料容器または延長インサート４５０および４６０の対応するキー４３０が挿入されることで、飲料容器または延長インサート４５０および４６０をパーソナル飲料加温器および冷却器３００のベース４２５内の定位置にロックまたは固定している。いくつかの実施形態において、延長インサート４５０および４６０は、キー４３０がロック機構４２０に挿入されると適所にカチッと嵌る。加えてまたは代替として、延長インサート４５０および４６０は、キー４３０とロック機構４２０との間の摩擦により、ならびに／または延長インサート４５０および４６０がベース４２５内で回転されると、ベース４２５における適所に保持されてもよい。他の実施形態において、ロック機構４２０およびキー４３０は、延長インサート４５０および４６０がロック機構４２０を含み、かつベース４２５がキー４３０を含むように相互に入れ替えられる。
【００３２】
[0045]図４Ａ〜図４Ｃのマグ４１０ならびに延長インサート４５０および４６０は、マグ４１０ならびに延長インサート４５０および４６０内に収容された飲料が周囲温度条件により速やかに熱または冷たさを失わないように飲料を断熱するため、そしてマグ４１０ならびに延長インサート４５０および４６０の表面温度を人が触れても不快でないように保つため、断熱材料４４０を含む。パーソナル飲料加温器および冷却器３００と延長インサート４５０および４６０内に収容された飲料との間の効率的な熱伝達を提供するため、延長インサート４５０および４６０は、それらのベースに熱伝導性材料４７０を含んでもよい。熱伝導性材料４７０は、延長インサート４５０および４６０がパーソナル飲料加温器および冷却器３００のベース４２５に挿入されているときにパーソナル飲料加温器および冷却器３００と熱的接触してもよい。
【００３３】
[0046]図５Ａおよび図５Ｂは、図４Ｂおよび図４Ｃの延長インサート４５０および４６０がそれぞれ着座した図３Ａおよび図３Ｂの例示的なパーソナル飲料加温器および冷却器３００を示す。
【００３４】
[0047]図６は、別の例示的なパーソナル飲料加温器および冷却器６００の側面図を示す。図６のパーソナル飲料加温器および冷却器６００は、パーソナル飲料加温器および冷却器６００が飲料容器（例えば、マグ３５０）が着座し得る凹部６１５の両側に飲料容器のハンドルのための切り欠き６１０を含む点を除き、図３Ａおよび図３Ｂに示すパーソナル飲料加温器および冷却器３００と同様である。図６のパーソナル飲料加温器および冷却器６００は、凹部６１５を取り囲む熱伝導性材料６２０とベース６３０（例えば、図２Ａおよび図２Ｂの冷却プレート２３０および／または加熱プレート２８０）とを含む。熱伝導性材料６２０は、パーソナル飲料加温器および冷却器６００のベース６３０とマグ３５０または延長インサート４５０および４６０などの飲料容器との間の熱伝導を改善し得る。
【００３５】
[0048]図７Ａは、さらに別の例示的なパーソナル飲料加温器および冷却器７００の側面図を概略的に示す。図７Ｂは、図７Ａのパーソナル飲料加温器および冷却器７００の切断側面図を概略的に示す。図７Ａおよび図７Ｂのパーソナル飲料加温器および冷却器７００は、カップ、マグ、および／または延長インサートが着座し得る凹部７１０を形成する熱伝導性材料７０５を含む。伝導性材料７０５は、図６のパーソナル飲料加温器および冷却器６００を参照して説明した伝導性材料６２０と機能的に同様であってもよい。また、パーソナル飲料加温器および冷却器７００は、パーソナル飲料加温器および冷却器７００の側部上の空気入口７２０と、底部上の空気出口７３０とを含む。パーソナル飲料加温器および冷却器７００内のファン７４０は、空気入口７２０から、熱電モジュール７５０（例えば、熱電素子２２０）と連結されたヒートシンク２４０またはコールド側２９０（図２Ａおよび図２Ｂ）などの熱交換器７６０との動作的近傍に空気を循環させ、空気出口７３０を通じて排出させる。パーソナル飲料加温器および冷却器７００は、パーソナル飲料加温器および冷却器３００および６００よりも設置におけるスペースをより効率的に用いてもよく、そのため、図１に示す乗客座席環境１００において用いるために好適であってもよい。
【００３６】
[0049]図８Ａは、互いに隣接して組み立てられるかまたは配置された複数の図７Ａおよび図７Ｂの例示的なパーソナル飲料加温器および冷却器７００を概略的に示す。図８Ａに示すように、複数のパーソナル飲料加温器および冷却器７００は、図１に示す複数の飲料ホルダ１１０として役立つため、飲料ホルダゾーン１６０（図１Ａおよび図１Ｂ）内に組み立てられてもよい。図８Ｂおよび図８Ｃは、互いに隣接して組み立てられるかまたは配置された複数の図８Ａの例示的なパーソナル飲料加温器および冷却器７００の反対の側面図を示す。図８Ｃに示すように、パーソナル飲料加温器および冷却器７００は、マグ３５０ならびに／または延長インサート４５０および４６０などの飲料容器を保持してもよい。図８Ｂおよび図８Ｃに示すように、制御スイッチおよびインジケータを含む制御パネル８１０が、マグ３５０ならびに／または延長インサート４５０および４６０が着座し得る凹状エリアに隣接するパーソナル飲料加温器および冷却器７００の頂面に配設されてもよい。例の制御パネル８１０は、制御パネル３１０と実質的に同様であってもよく、本明細書中の他の箇所に記載のように制御スイッチ３１２と同様の制御スイッチとインジケータ３１４と同様のインジケータとを含んでもよい。
【００３７】
[0050]図９Ａ〜図９Ｆは、図７Ａ、図７Ｂ、図８Ａ、図８Ｂ、および図８Ｃの例示的なパーソナル飲料加温器および冷却器７００の様々な図を示す。
【００３８】
[0051]本明細書中に開示の例示的なパーソナル飲料加温器および冷却器の機能は、コントローラのプロセッサにより実行されるソフトウェアおよび／またはファームウェアプログラムの指令によりコントローラにより制御されてもよい。代替として、開示の実施形態のいくつかまたはすべては、ヒューズ、ＡＳＩＣ、ＰＬＤ、ＦＰＬＤ、ＦＰＧＡ、個別論理、ハードウェア、ファームウェア等のいずれかの組み合わせを用いて実装してもよい。また、開示の実施形態のいくつかまたはすべては、手動で、または上述の技法のいずれかの組み合わせ、例えば、ファームウェア、ソフトウェア、個別論理、および／またはハードウェアのいずれかの組み合わせにより実装してもよい。ソフトウェアプログラム（例えば、機械可読指令）は、いずれかの数および／または種類の有形コンピュータ可読格納媒体または非遷移コンピュータ可読格納媒体に格納してもよい。本明細書中で用いられる「コンピュータ可読格納媒体」は、信号が伝播するいずれの媒体も明示的に除外するものである。ソフトウェアプログラムは、コンパイルすることでコントローラのプロセッサにより実行可能になるコンピュータプログラミング言語（例えば、Ｃ、Ｃ＋＋等）で記述してもよい。コンピュータ可読格納媒体の種類の例は、磁気的格納媒体（例えば、フロッピー（登録商標）ディスク、ハードディスクドライブ、および磁気テープ）、光学的記録媒体（例えば、コンパクトディスク（ＣＤ）、デジタル多用途ディスク（ＤＶＤ）等）、電気的格納媒体（例えば、集積回路（ＩＣ）、読み出し専用メモリ（ＲＯＭ）、ランダムアクセスメモリ（ＲＡＭ）、電子的消去可能プログラマブル読み出し専用メモリ（ＥＥＰＲＯＭ）、およびフラッシュメモリ）、量子格納装置、キャッシュ、ならびに／またはいずれかの持続時間の間（例えば、長い期間の間、永久に、短い時間の間、一時的なバッファのために、またはキャッシュのために）情報を格納し得る他のいずれかの格納媒体を含むが、それらに限定されない。また、格納媒体は、プログラム指令が分散して格納および／または実行されるように、ネットワークに連結されたコンピュータシステム（例えば、ネットワーク接続格納装置、サーバベース格納装置、および／または共有ネットワーク格納装置）に分散させてもよい。
【００３９】
[0052]実施形態は、機能的なブロックコンポーネントおよび様々な処理ステップとして開示してもよい。かかる機能的ブロックは、指定された機能を行うように構成されたいずれかの数のハードウェアおよび／またはソフトウェアコンポーネントにより実現されてもよい。例えば、実施形態は、例えば１つ以上のマイクロプロセッサまたは他の制御装置の制御下で種々の機能を実行し得る様々な集積回路コンポーネント、例えばメモリ要素、処理要素、論理要素、ルックアップ表などを用いてもよい。実施形態の要素がソフトウェアプログラミングまたはソフトウェア要素を用いて実装されるとき、実施形態は、Ｃ、Ｃ＋＋、Ｊａｖａ（登録商標）、アセンブラ等のいずれかのプログラミングまたはスクリプティング言語を用いて実装され、様々なアルゴリズムがデータ構造、オブジェクト、プロセス、ルーチン、および／または他のプログラミング要素のいずれかの組み合わせにより実装されてもよい。さらにその上、実施形態は、電子機器構成、信号処理および／または制御、データ処理等のためのいずれかの数の従来の技法を用いてもよい。単語「機構」は、本明細書中で広く用いられており、機械的または物理的実施形態に限定されず、プロセッサ等と連動するソフトウェアルーチンを含むことが可能である。
【００４０】
[0053]本明細書中に図示および開示の特定の実装例は、本発明の例示的例または実施形態であり、それ以外に本発明の範囲を何ら限定することを意図するものではない。簡潔さのため、従来の電子機器、制御システム、ソフトウェア開発、およびシステムの他の機能的態様（およびシステムの個々の動作コンポーネントのコンポーネント）は、詳細に説明されていない場合がある。さらにその上、提示された様々な図面において示す接続線またはコネクタは、各要素の間の例示的な機能的関係および／または物理的もしくは論理的連結を表すことを意図している。多くの代替的もしくは追加的な機能的関係、物理的接続、または論理的接続が、実際の装置において存在してもよいことに留意されたい。本明細書中で提供されたすべての例または例示的文言（例えば、「など」または「例えば」）の使用は、開示の実施形態をより良好に解明することを意図するものにすぎず、そうでないと主張しない限り本発明の範囲を限定するものではない。その上、いずれの項目またはコンポーネントも、その要素が特に「不可欠」または「絶対必要」として説明されていない限り、本発明の実施に不可欠なものではない。
【００４１】
[0054]開示の実施形態は図面を参照して説明されているため、記載の方法および／または具体的な構造の様々な修正または適合が、当業者に明白であり得る。本開示の教示に依拠するとともにこれらの教示が技術を進歩させるすべてのかかる修正、適合、または変形は、本発明の範囲内であるものと考えられる。よって、本発明が図示の実施形態のみには何ら限定されないことが理解されるため、これらの説明および図面は、限定的な意味で解釈されるべきではない。
【００４２】
[0055]本明細書中で用いられる用語「含む（ｃｏｍｐｒｉｓｉｎｇ）」、「含む（ｉｎｃｌｕｄｉｎｇ）」、および「有する（ｈａｖｉｎｇ）」は、オープンエンドタームとして読まれることが特に意図されていることが認識されよう。実施形態を説明する文脈における（特に下記の請求項の文脈における）用語「１つの（ａ）」、「および（ａｎｄ）」、および「その（ｔｈｅ）」、ならびに同様の指示語の使用は、単数形と複数形との両方を網羅するものと解されるべきである。さらにその上、本明細書における値の範囲の記載は、本明細書において他に指定しない限り、その範囲に該当する各々の別々の値に個々に言及する簡略な方法として役立つことを単に意図するものであり、各々の別々の値は、本明細書において個々に記載されたかのように本明細書に組み込まれる。最後に、本明細書に記載のすべての方法のステップは、本明細書において他に指定しない限り、またはその他文脈上明らかに矛盾しない限り、いずれの好適な順序でも行うことが可能である。
【図１Ａ】
0005608285.tif 000002
【図１Ｂ】
0005608285.tif 000003
【図２Ａ】
0005608285.tif 000004
【図２Ｂ】
0005608285.tif 000005
【図３Ａ】
0005608285.tif 000006
【図３Ｂ】
0005608285.tif 000007
【図４Ａ】
0005608285.tif 000008
【図４Ｂ】
0005608285.tif 000009
【図４Ｃ】
0005608285.tif 000010
【図５Ａ】
0005608285.tif 000011
【図５Ｂ】
0005608285.tif 000012
【図６】
0005608285.tif 000013
【図７Ａ】
0005608285.tif 000014
【図７Ｂ】
0005608285.tif 000015
【図８Ａ】
0005608285.tif 000016
【図８Ｂ】
0005608285.tif 000017
【図８Ｃ】
0005608285.tif 000018
【図９Ａ】
0005608285.tif 000019
【図９Ｂ】
0005608285.tif 000020
【図９Ｃ】
0005608285.tif 000021
【図９Ｄ】
0005608285.tif 000022
【図９Ｅ】
0005608285.tif 000023
【図９Ｆ】
0005608285.tif 000024